【手続補正書】
【提出日】令和2年11月25日(2020.11.25)
【手続補正１】
【補正対象書類名】明細書
【補正対象項目名】００１２
【補正方法】変更
【補正の内容】
【００１２】
【図１】図１は、実施形態が適用される表示装置１の全体構成の一例を示す図である。
【図２】図２は、表示装置に搭載されている照度センサーが測定した照度の値が、実際の周辺照度の値に比べて明るくなる場合の、表示装置の位置と表示装置の周辺照度を決定付ける光源あるいは外部からの光の進入口の位置との相対的な位置関係の例である。
【図３】図３は、表示装置に搭載されている照度センサーが測定した照度の値が、実際の周辺照度の値に比べて暗くなる場合の、表示装置の位置と表示装置の周辺照度を決定付ける光源あるいは外部からの光の進入口の位置との相対的な位置関係の例である。
【図４】図４は、図２および図３における相対的な位置関係において、周辺照度と照度センサーが実際に測定した照度との関係を示した図である。
【図５】図５は、ディスプレイ６１の明るさを最適な明るさにするために、図２（Ａ）または図３（Ａ）の相対的な位置関係の場合、図２（Ｂ）の相対的な位置関係の場合、および図３（Ｂ）の相対的な位置関係の場合において、照度センサーの測定値と、バックライト制御部がユーザ操作に基づいてバックライト６２に設定する明るさの値との関係を示した図である。
【図６】図６は、照度センサー５が測定した周辺照度の測定値に対応してバックライトに設定する明るさの値に加えてさらに、ユーザ操作によりバックライトに設定する明るさの値を調整する場合の、操作画面の一例である。
【図７】図７は、ユーザが設定した調整バーの位置とそれに対応してバックライトに設定する明るさの値を算出する方法を説明したものである。
【図８】図８は、図７を用いて説明したユーザが設定した調整バーの位置ＳＬに対応して、バックライトに設定する明るさの値を求める処理の流れを示すフローチャートである。
【図９】図９は、調整バーの位置が＋３０あるいは-３０の場合において、バックライト制御部がバックライトに設定する明るさの値を適応的に算出している例を示した図である。
【図１０】図１０は、照度センサー５が測定した現在の周辺照度の値において、バックライトに設定する明るさの値だけを調整する場合の操作画面の表示の一例である。
【手続補正２】
【補正対象書類名】明細書
【補正対象項目名】００３３
【補正方法】変更
【補正の内容】
【００３３】
一方図２（Ｂ）は、照度センサー５と照明２０１との相対的な位置関係が、図２（Ａ）と比較して垂直方向の距離が近い場合の例である。
【手続補正３】
【補正対象書類名】明細書
【補正対象項目名】００３６
【補正方法】変更
【補正の内容】
【００３６】
図３は、表示装置１に搭載されている照度センサー５が測定した照度の値が、実際の周辺照度の値に比べて暗くなる場合の、表示装置１の位置と表示装置１の周辺照度を決定付ける光源あるいは外部からの光の進入口の位置との相対的な位置関係の例である。
【手続補正４】
【補正対象書類名】明細書
【補正対象項目名】００４３
【補正方法】変更
【補正の内容】
【００４３】
図２（Ａ）および図３（Ａ）の相対的な位置関係の場合、周辺照度に対する照度センサー５の測定値は、通常の値となる。
【手続補正５】
【補正対象書類名】明細書
【補正対象項目名】００４８
【補正方法】変更
【補正の内容】
【００４８】
同様に線４０３のように照度センサー５の測定値が通常の値より暗くなってしまう場合、バックライト６２に設定する明るさの値を照度センサー５の測定値に基づいて設定すると、ディスプレイ６１の明るさが、必要以上に暗くなる。
【手続補正６】
【補正対象書類名】明細書
【補正対象項目名】００５１
【補正方法】変更
【補正の内容】
【００５１】
ここで本実施形態の表示装置１は、操作部８のユーザ操作によりディスプレイ６１の明るさを調整した時点から照度センサー５の測定値が変わっても、ユーザの調整内容が周辺照度の変化に応じて適応的に反映され、ディスプレイ６１の明るさを最適に調整することができる。
【手続補正７】
【補正対象書類名】明細書
【補正対象項目名】００５２
【補正方法】変更
【補正の内容】
【００５２】
以下、ユーザ操作による調整内容を適応的に反映させることで、照度センサー５の測定値の変化に対応してディスプレイ６１の明るさを最適に調整する方法について説明する。
【手続補正８】
【補正対象書類名】明細書
【補正対象項目名】００５３
【補正方法】変更
【補正の内容】
【００５３】
本実施形態の表示装置１は、照度センサー５の測定値が変わってもユーザによる調整内容を適応的に反映してディスプレイ６１の明るさを最適に調整するために、照度センサー５と照明２０１との相対的な位置関係のモデルケースを用いて、照度センサー５の測定値とバックライト制御部４２がバックライト６２に設定する明るさの値との関係を示した情報を、予め保持する必要がある。
【手続補正９】
【補正対象書類名】明細書
【補正対象項目名】００５４
【補正方法】変更
【補正の内容】
【００５４】
この照度センサー５と照明との相対的な位置関係のモデルケースは、例えば先の図２（Ａ）または図３（Ａ）の相対的な位置関係の場合、図２（Ｂ）の相対的な位置関係の場合、および図３（Ｂ）の相対的な位置関係の場合のように、ディスプレイ６１の明るさを照度センサー５の測定に基づく明るさのままで望ましいケース、ディスプレイ６１の明るさを照度センサー５の測定に基づく明るさに対して、暗くする方向に調整することが望ましいケース、ディスプレイ６１の明るさを照度センサー５の測定に基づく明るさに対して、明るくする方向に調整することが望ましいケースの３つのモデルケースが含まれていることが望ましい。
【手続補正１０】
【補正対象書類名】明細書
【補正対象項目名】００７５
【補正方法】変更
【補正の内容】
【００７５】
図７（Ａ）は、調整バー６０１をマイナス方向のＳＬに位置させた場合の、バックライト６２に設定する明るさの値を示している。照度センサー５の測定値をａとする。測定値ａに対応して、設定曲線ＭＩＤ５０２におけるバックライト６２に設定する明るさの値をａｍとする。また測定値ａに対応して、設定曲線ＬＯＷ５０１におけるバックライト６２に設定する明るさの値をａｌとする。
【手続補正１１】
【補正対象書類名】明細書
【補正対象項目名】００８０
【補正方法】変更
【補正の内容】
【００８０】
なおこの例では、調整バー６０１の位置（調整のレベル）に応じて、バックライト６２に設定する明るさの値ａｓｌを、ａｍの値とａｌの値を３０−ＳＬの比で内分した値として算出したが、これに限らず調整バー６０１の位置（調整のレベル）に応じてその他の方法で算出してもよい。
【手続補正１２】
【補正対象書類名】明細書
【補正対象項目名】００９４
【補正方法】変更
【補正の内容】
【００９４】
また、周辺照度の測定値の最大値であるｃ２において、調整バー６０１が＋３０に位置する場合のバックライト６２に設定する明るさの値ｃ２ｈは、調整バー６０１が±０に位置する場合のバックライト６２に設定する明るさの値ｃ２ｍとほぼ同一である。一方周辺照度ｃ２において、調整バー６０１が−３０に位置する場合のバックライト６２に設定する明るさの値ｃ２ｌは、調整バー６０１が±０に位置する場合のバックライト６２に設定する明るさの値ｃ２ｍよりかなり小さな値となっている。
【手続補正１３】
【補正対象書類名】明細書
【補正対象項目名】００９６
【補正方法】変更
【補正の内容】
【００９６】
同様に調整バー６０１の位置が−３０のとき、周辺照度が暗い場合は、調整バー６０１の位置が±０の場合に比べてバックライト６２の明るさはそれほど変化させない（略同じ）が、周辺照度が明るい場合は、調整バー６０１の位置が±０の場合に比べてバックライト６２の明るさが大きく調整されることを意味している。
【手続補正１４】
【補正対象書類名】明細書
【補正対象項目名】０１００
【補正方法】変更
【補正の内容】
【０１００】
図１０は、照度センサー５が測定した現在の周辺照度の値に対してバックライト６２に設定する明るさの値を調整する場合の操作画面の表示の一例である。
【手続補正１５】
【補正対象書類名】明細書
【補正対象項目名】０１０３
【補正方法】変更
【補正の内容】
【０１０３】
ここで、設定曲線ｍは、調整バー６０１の位置によって変化するものである。例えば調整バー６０１が±０に位置する場合は、設定曲線ｍは設定曲線ＭＩＤである。例えば調整バー６０１が＋３０に位置する場合は、設定曲線ｍは設定曲線ＨＩである。また例えば調整バー６０１がＳＬに位置する場合は、設定曲線ｍは図８のＳ８０７あるいはＳ８０９で算出されるｃｓｌから得られる設定曲線ＳＬである。このように設定曲線ｍは、調整バー６０１の位置に応じて変わる。
【手続補正１６】
【補正対象書類名】明細書
【補正対象項目名】０１０５
【補正方法】変更
【補正の内容】
【０１０５】
現在、表示装置１のバックライト６２に明るさの値ｄｍが設定されている状態で、さらにユーザがディスプレイ６１の明るさを調整したい場合は、例えば線１０１０と設定曲線ｍ１００１の交点Ｍを、ユーザ操作で上下に移動させることで、ディスプレイ６１の明るさを調整することが可能である。具体的にはディスプレイ６１の明るさを暗くしたい場合は、線１０１０と設定曲線ｍ１００１の交点Ｍを下方向に移動させればよい。
【手続補正１７】
【補正対象書類名】明細書
【補正対象項目名】０１０６
【補正方法】変更
【補正の内容】
【０１０６】
図１０（Ｂ）の線１００２は、図１０（Ａ）の線１０１０と設定曲線ｍ１００１の交点Ｍを、ユーザ操作で下方向に移動して交点Ｍ−とした場合の例である。このユーザ操作により、照度センサー５が測定した現在の周辺照度の値ｄに対して、バックライト６２に設定する明るさの値をｄｍからｄｍ−に変更することができる。